(57)【特許請求の範囲】
【請求項１】
ケーシングの前面に備える操作部を操作することで、前記ケーシングに形成された吸気口から燃焼用の空気を前記ケーシング内に取り入れて、前記ケーシング内に具備するバーナの燃焼熱による加熱によって温水を得る、壁面に設置される給湯装置と共に用いられる前記壁面に固定される給気ガイドであって、
前記吸気口の下方を覆う下方ガイド壁を備え、かつ、前記操作部の前方を覆い前記下方ガイド壁から上方に向けて連接される前面ガイド壁を備え、さらに、前記前面ガイド壁は、前記ケーシングから間隔を隔てて取り付けられるものであり、
前記下方ガイド壁に、前記給湯装置の給水配管およびガス配管を挿通する、前記壁面側に開口する配管挿通用開口部が設けられることを特徴とする給気ガイド。
【請求項２】
前記下方ガイド壁から上方に連接されると共に前記前面ガイド壁から連接されて、前記吸気口の側方を覆う側方ガイド壁を備え、さらに、前記側方ガイド壁は、前記壁面に固定される固定用フランジを備えてこの固定用フランジが前記壁面に固定されるとともに、前記ケーシングから間隔を隔てて取り付けられることを特徴とする請求項１に記載の給気ガイド。
【請求項３】
前記前面ガイド壁が、下から上に向かうほど前記ケーシングの前面から遠ざかるように鉛直方向に対して傾斜する傾斜面で形成されることを特徴とする請求項１または請求項２に記載の給気ガイド。
【発明の詳細な説明】
【技術分野】
【０００１】
本発明は、例えば給湯装置などに適用される給気ガイドに関し、詳しくは、当該給湯装置の下方にコンロ等の燃焼機器が設置された場合にも当該給湯装置に燃焼不良が発生することが生じ難いように構成された給気ガイドに関する。
【背景技術】
【０００２】
従来から、給湯装置においては、熱交換器を加熱するバーナの燃焼状態を検出するための火炎温度検出手段と、バーナの燃焼を制御する制御手段とを設け、バーナの燃焼中に、制御手段が火炎温度検出手段により検出した温度に基づいてバーナの燃焼を制御するとともに、燃焼異常が発生したと判断した場合には、バーナの燃焼を停止することにより安全性を確保するようにしている。（例えば、特許文献１参照）。
【０００３】
特許文献１では、バーナの燃焼炎に接触するように熱電対を配置し、この熱電対に生じる起電力を燃焼異常検出用の情報として制御手段に入力するように構成して、バーナの点火中に不完全燃焼が生じた場合、この熱電対の起電力が予め設定された正常燃焼の基準値よりも低下するので、制御手段は、この熱電対からの起電力の低下を検出することにより、燃焼異常が起こったものと判断して燃焼を停止し、安全性を確保するように構成している。
【先行技術文献】
【特許文献】
【０００４】
【特許文献１】特開２０００−０１８５８０号公報
【発明の概要】
【発明が解決しようとする課題】
【０００５】
ところが前記特許文献１に示された給湯装置では、当該給湯装置の下方にコンロ等の他の燃焼機器が設置された場合に、上記他の燃焼機器の燃焼ガスが、当該給湯装置のバーナ燃焼用の給気としての空気に混入して用いられることになり、当該給湯装置のバーナ燃焼用の給気としての空気中の酸素濃度が通常の新鮮な空気中の酸素濃度より低くなり、その結果として不完全燃焼が発生しやすいことになるおそれがある。
【０００６】
また、当該給湯装置の前面には操作部が設けられることが多々あり、当該給湯装置の下方にコンロ等の他の燃焼機器が設置された場合には、上記他の燃焼機器からの高温の燃焼ガスによって上記操作部が加熱されて、使用者が上記操作部を操作するときに高温の操作部に触れることになり、使用者が不快に感じる不都合も生じる。
【０００７】
このような場合に、当該給湯装置の下方に設置される上記他の燃焼機器を撤去することで、当該給湯装置における不完全燃焼は防ぐことが可能であるが、上記他の燃焼機器の撤去に伴い使用者が不便を強いられるなどの不都合が生じる。
【０００８】
本発明はこれらの事情に鑑みてなされたものであって、その目的とするところは、給湯装置の下方にコンロ等の他の燃焼機器が設置された場合にも、当該給湯装置に燃焼不良が発生することが生じ難いようにでき、しかも、使用者が上記操作部を操作するときに高温の操作部に触れて不快に感じる不都合も生じないような、給湯装置用の給気ガイドを提供することにある。
【課題を解決するための手段】
【０００９】
前記の課題を解決するために、本発明の給気ガイドは、ケーシングの前面に備える操作部を操作することで、前記ケーシングに形成された吸気口から燃焼用の空気を前記ケーシング内に取り入れて、前記ケーシング内に具備するバーナの燃焼熱による加熱によって温水を得る、壁面に設置される給湯装置と共に用いられる前記壁面に固定される給気ガイドであって、前記吸気口の下方を覆う下方ガイド壁を備え、かつ、前記操作部の前方を覆い前記下方ガイド壁から上方に向けて連接される前面ガイド壁を備え、さらに、前記前面ガイド壁は、前記ケーシングから間隔を隔てて取り付けられるものであり、前記下方ガイド壁に、前記給湯装置の給水配管およびガス配管を挿通する、前記壁面側に開口する配管挿通用開口部が設けられることを特徴としている。
【００１０】
このような構成とすることで、当該給湯装置の下方にコンロ等の他の燃焼機器が設置された場合にも、前記他の燃焼機器の燃焼ガスが、当該給湯装置のバーナ燃焼用の給気として前記ケーシング内に流入し難いようにすることができて、当該給湯装置における不完全燃焼が発生しにくいようにすることができ、さらに、前記前面ガイド壁が存在することで、他の燃焼機器の燃焼ガスによる前記操作部の温度上昇を抑制することが出来て、当該給湯装置の操作時における使用者の抱く不快感が抑制され、当該給湯装置の操作性を向上することができる。
【００１１】
したがって、前記他の燃焼機器を撤去する必要がないから、前記他の燃焼機器の撤去に伴い使用者に不便を強いるという不都合が防止できる。
なお、前記下方ガイド壁から上方に連接されると共に前記前面ガイド壁から連接されて、前記吸気口の側方を覆う側方ガイド壁を備え、さらに、前記側方ガイド壁は、前記壁面に固定される固定用フランジを備えてこの固定用フランジが前記壁面に固定されるとともに、前記ケーシングから間隔を隔てて取り付けられることが好ましい。
【００１２】
この場合、バーナの燃焼のために必要な空気は、前記ケーシングから間隔を隔てて備える側方ガイド壁の上端部と前記ケーシングとの間に形成されることになる側方ガイド壁上端の間隙から流入することになるが、この側方ガイド壁上端の間隙は上向きに開口されていることになり、前記他の燃焼機器からの燃焼ガスは流入し難く、当該給湯装置の周囲に存在する新鮮な空気が流入しやすいものとなって、当該給湯装置のバーナ燃焼用の給気としての空気中の酸素濃度の低下が抑制されて、当該給湯装置における不要な不完全燃焼が防がれる。
【００１３】
つまり、前記他の燃焼機器から排出される燃焼ガスの比重は、当該給湯装置の周囲に存在する新鮮な空気の比重より小さいため、当該給湯装置の周囲に存在する新鮮な空気の中を上昇することになるが、上述のように、前記吸気口の下方を覆う下方ガイド壁から連接される側方ガイド壁の上端部と前記ケーシングとの間に形成されることになる側方ガイド壁上端の間隙は上向きに開口されているから、当該給湯装置の周囲に存在する新鮮な空気中を上昇する前記他の燃焼機器から排出される燃焼ガスは前記側方ガイド壁上端の間隙から下向きには流入し難く、当該給湯装置の周囲に存在する新鮮な空気の前記側方ガイド壁上端の間隙への流入が促進される。
【００１４】
以上のように、本発明の給気ガイドによって、当該給湯装置の下方にコンロ等の他の燃焼機器が設置された場合にも、当該給湯装置における不完全燃焼が発生しにくいようにすることができ、しかも、他の燃焼機器の燃焼ガスによる前記操作部の温度上昇を抑制することが出来て、当該給湯装置の操作時における使用者の抱く不快感が抑制され、当該給湯装置の操作性が向上する。
【００１５】
また、本発明の給気ガイドにおいて、前記前面ガイド壁が、下から上に向かうほど前記ケーシングの前面から遠ざかるように鉛直方向に対して傾斜する傾斜面で形成されることが好ましい。
この場合、当該給湯装置の周囲に存在する新鮮な空気の比重より小さいため、当該給湯装置の周囲に存在する新鮮な空気の中を上昇する前記他の燃焼機器から排出される燃焼ガスが前記傾斜面によって当該給湯装置のケーシングから遠ざかる方向に偏向されて上昇するから、前記前面ガイド壁の上端と当該給湯装置のケーシングの前面との間に形成されることになる前面ガイド壁上端の間隙における圧力は、前記他の燃焼機器から排出される燃焼ガスが当該給湯装置のケーシングから遠ざかる方向に偏向されて上昇することにより、前記他の燃焼機器から排出される燃焼ガスが当該給湯装置のケーシングから遠ざかる方向に偏向されない場合と比較して微圧ながら圧力が低下するから当該給湯装置の周囲に存在する新鮮な空気の流入が促進され、前記操作部の冷却が促進される。
【００１６】
また、この場合、前記前面ガイド壁は前記側方ガイド壁と連接されるものであるから、前記前面ガイド壁上端の間隙と前記側方ガイド壁上端の間隙は連続したものとなることになり、前面ガイド壁上端の間隙から流入した当該給湯装置の周囲に存在する新鮮な空気は、前記ケーシングと前記側方ガイド壁との間を経由して前記ケーシングに形成された吸気口から燃焼用の空気として供給され、前記ケーシング内に具備するバーナの良好な燃焼が促進されて、当該給湯装置における不完全燃焼が発生しにくいようにすることが一層促進される。
【発明の効果】
【００１７】
本発明の給気ガイドによって、上述のように、給湯装置の下方にコンロ等の燃焼機器が設置された場合にも、当該給湯装置に燃焼不良が発生することが生じ難いようにすることができる。
さらに、給湯装置の下方にコンロ等の燃焼機器が設置された場合にも、当該給湯装置の操作時における使用者が抱く不快感が抑制され、当該給湯装置の操作性を向上することができる。
【図面の簡単な説明】
【００１８】
【図１】本発明の給気ガイドの一実施形態であり、給湯装置への適用を示す正面図である。
【図２】同上の側面図である。
【図３】同上の平面図である。
【図４】同上の底面図である。
【図５】本発明の給気ガイドの一実施形態を示す正面図である。
【図６】同上の右側面図である。
【図７】同上の平面図である。
【図８】同上の底面図である。
【発明を実施するための形態】
【００１９】
以下、本発明の実施の形態について、図面を参照しながら説明する。
【００２０】
図１は本発明の給気ガイド０１の一実施形態の、給湯装置への適用を示す正面図であり、図２は側面図であり、図３は平面図であり、図４は底面図である。
また、図５は本発明の給気ガイド０１の一実施形態の、正面図であり、図６は右側面図であり、図７は平面図であり、図８は底面図である。
【００２１】
本実施形態の給気ガイド０１が適用される給湯装置４０は、台所等における壁面６２に壁掛け設置されており、台所等に備えるコンロ台６１上に設置される他の燃焼機器としてのガスコンロ５０の上方に位置しており、給湯装置４０の下部を覆うように、給気ガイド０１が取り付けられている。
【００２２】
なお、給気ガイド０１は、固定用フランジ１６に穿設された固定用ネジ挿通孔１７に図示しない固定用ネジを挿通され、この固定用ネジを壁面６２に螺入することで、壁面６２に固定されている。
【００２３】
給湯装置４０のケーシング４１は薄板の金属をプレス加工して形成されており、ケーシング４１内には、図示しない給湯装置４０への給水を加熱して温水を得るためのガスバーナ（図示せず）を備えており、ケーシング４１の左右の側面には、このガスバーナに燃焼用の空気をケーシング４１の外から取り入れるための吸気口４２が、ケーシング４１をプレス加工により打ち抜いて形成されている。また、給湯装置４０のケーシング４１の前面には、給湯装置４０からの出湯の開始及び停止を操作するための操作部４３を備えている。
【００２４】
また、給気ガイド０１には、吸気口４２の下方を覆う下方ガイド壁１１を備えており、下方ガイド壁１１には給湯装置４０の給水配管４４および給湯装置４０のガス配管４５を挿通するために、配管挿通用開口部１８が設けられている。なお、図１等には給湯装置４０の出湯配管の外観について記載しておらず、給湯装置４０の出湯配管を接続するための出湯口４６のみを記載してある。
【００２５】
そして、給気ガイド０１には、操作部４３の前方、詳しくは、操作部４３の下側の前方を覆い前記下方ガイド壁１１から上方に向けて連接される前面ガイド壁１２を備え、さらに、前面ガイド壁１２は、ケーシング４１の前面から間隔を隔てて取り付けられており、前面ガイド壁１２の上端２２とケーシング４１の前面との間には間隙３２が形成されている。
【００２６】
給気ガイド０１をこのような構成とすることで、本実施形態のように、給湯装置４０の下方に他の燃焼機器（ガスコンロ）５０が設置された場合にも、他の燃焼機器（ガスコンロ）５０の燃焼ガスが、給湯装置４０のバーナ燃焼用の給気として前記ケーシング４１内に流入し難いようにすることができるから、給湯装置４０における不完全燃焼が発生しにくいようにすることが可能となり、さらに、前面ガイド壁１２が存在することで、他の燃焼機器（ガスコンロ）５０の燃焼ガスによる操作部４３の温度上昇を抑制することが出来て、給湯装置４０の操作時に使用者が抱く不快感が抑制され、その結果、給湯装置４０の操作性が向上することになる。
【００２７】
なお、本実施形態においては、下方ガイド壁１１から上方に連接されると共に前面ガイド壁１２から連接されて、吸気口４２の側方、詳しくは吸気口４２の下側の側方を覆う側方ガイド壁１３を備え、さらに、側方ガイド壁１３は、ケーシング４１の側面から間隔を隔てて取り付けられており、側方ガイド壁１３の上端２３とケーシング４１の側面との間には間隙３３が形成されている。
【００２８】
詳述すると、バーナの燃焼のために必要な空気は、主に、側方ガイド壁上端の間隙３３から流入するものであるが、この側方ガイド壁上端の間隙３３は上向きに開口されているため、他の燃焼機器（ガスコンロ）５０からの燃焼ガスは流入し難く、給湯装置４０の周囲に存在する新鮮な空気が流入しやすいものとなって、給湯装置４０のバーナ燃焼用の給気としての空気中の酸素濃度の低下が抑制されて、給湯装置４０における不要な不完全燃焼が防止される。
【００２９】
つまり、他の燃焼機器（ガスコンロ）５０から排出される燃焼ガスの比重は、給湯装置４０の周囲に存在する新鮮な空気の比重より小さいため、給湯装置４０の周囲に存在する新鮮な空気の中を上昇することになり、吸気口４２の下方を覆う下方ガイド壁１１から連接される側方ガイド壁１３の上端２３とケーシング４１との間に形成されている側方ガイド壁上端の間隙３３が上向きに開口しているため、給湯装置４０の周囲に存在する新鮮な空気中を上昇する他の燃焼機器（ガスコンロ）５０から排出される燃焼ガスは側方ガイド壁上端の間隙３３から下向きには流入し難く、給湯装置４０の周囲に存在する新鮮な空気が側方ガイド壁上端の間隙３３に流入することが促進されるのである。
【００３０】
以上のように、給気ガイド０１によって、給湯装置４０の下に他の燃焼機器（ガスコンロ）５０が設置された場合にも、給湯装置４０における不完全燃焼が発生しにくいようにすることができ、しかも、他の燃焼機器（ガスコンロ）５０の燃焼ガスによる前記操作部４３の温度上昇を抑制することが出来て、当該給湯装置の操作時における使用者の抱く不快感が抑制され、給湯装置４０の操作性が向上する。
【００３１】
また、本実施形態においては、前面ガイド壁１２が、下から上に向かうほどケーシング４１の前面から遠ざかるように、鉛直方向に対して傾斜する傾斜面で形成されており、給湯装置４０の周囲に存在する新鮮な空気の比重より小さいことによって、給湯装置４０の周囲に存在する新鮮な空気の中を上昇する他の燃焼機器（ガスコンロ）５０から排出される燃焼ガスが、この傾斜面によって給湯装置４０のケーシング４１の前面から遠ざかる方向に偏向されて上昇することになり、前面ガイド壁１２の上端２２と給湯装置４０のケーシング４１の前面との間に形成されている前面ガイド壁上端の間隙３２における圧力は、他の燃焼機器（ガスコンロ）５０から排出される燃焼ガスが給湯装置４０のケーシング４１から遠ざかる方向に偏向されて上昇することによって、他の燃焼機器（ガスコンロ）５０から排出される燃焼ガスが給湯装置４０のケーシング４１から遠ざかる方向に偏向されない場合と比較して、ごく微圧ながら圧力が低下するため給湯装置４０の周囲に存在する新鮮な空気の流入が促進され、操作部４３の冷却が促進される。
【００３２】
また、前面ガイド壁１２は側方ガイド壁１３と連接されているから、前面ガイド壁上端の間隙３２と側方ガイド壁上端の間隙３３は連続しており、前面ガイド壁上端の間隙３２から流入した給湯装置４０の周囲に存在する新鮮な空気は、ケーシング４１と側方ガイド壁１３との間を経由してケーシング４１に形成された吸気口４２から燃焼用の空気としてケーシング４１内に流入し、ケーシング４１内に具備するガスバーナの良好な燃焼が促進されて、給湯装置４０における不完全燃焼が発生しにくいようにすることが一層促進される。
【００３３】
〔別実施形態〕
上記において説明した実施形態では、側方ガイド壁１３を備えるものであったが側方ガイド壁１３を備えないように構成してもよい。
【００３４】
また、他例として、前面ガイド壁１２を、下から上に向かうほど前記ケーシング４１の前面から遠ざかるように鉛直方向に対して傾斜する傾斜面で形成するのではなく鉛直面で形成してもよい。
【００３５】
また、他例として、側方ガイド壁１３を、下から上に向かうほど前記ケーシング４１の側面から遠ざかるように鉛直方向に対して傾斜する傾斜面で形成してもよい。
【符号の説明】
【００３６】
０１  給気ガイド
１１  下方ガイド壁
１２  前面ガイド壁
１３  側方ガイド壁
１６  固定用フランジ
１７  固定用ネジ挿通孔
１８  配管挿通用開口部
２２  前面ガイド壁の上端
２３  側方ガイド壁の上端
３２  前面ガイド壁上端の間隙
３３  側方ガイド壁上端の間隙
４０  給湯装置
４１  ケーシング
４２  吸気口
４３  操作部
４４  給湯装置の給水配管
４５  給湯装置のガス配管
４６  給湯装置の出湯口
５０  他の燃焼機器（ガスコンロ）
６１  コンロ台
６２  壁面
【図１】
0005964652.tif 000002
【図２】
0005964652.tif 000003
【図３】
0005964652.tif 000004
【図４】
0005964652.tif 000005
【図５】
0005964652.tif 000006
【図６】
0005964652.tif 000007
【図７】
0005964652.tif 000008
【図８】
0005964652.tif 000009